(57)【要約】
【課題】頸部及び両肩周辺を暖め保温することで、身体全体を暖かく保ち、また動き易くすると共に、着脱を容易にし体温調節を行い易くしたネックウォーマーを提供する。
【解決手段】ネックウォーマー１０は、合成繊維等から成る混紡糸をリブ編みによって編み上げた編地を用いる。該ネックウォーマー１０は前身頃１１と後身頃１２からなり、襟部１３から肩部１４を縫合する。肩部１４の裏面側に遠赤外線放射効果等を持つ素材を練り込んだ肩当て布地２０を左右２箇所に分けて縫着する。その際、編地と同色の糸を用いてリブ編みの編目３０に沿って縫うため、縫目２１ｂは目立たない。
【選択図】図１
0003099460.tif 000002
【実用新案登録請求の範囲】
【請求項１】
頸部を包囲する襟部と両肩を覆う肩部から構成されリブ編みによる編地からなるネックウォーマーであって、前記肩部の裏面側に肩当て布地を左右の二箇所に分けて前記リブ編みの編目に沿って縫着したことを特徴とするネックウォーマー。
【請求項２】
前記各肩当て布地は、遠赤外線放射効果を持つ合成繊維からなる布であることを特徴とする請求項１に記載のネックウォーマー。
【請求項３】
前記各肩当て布地は、前身頃に縫合される前側布地と後身頃に縫合される後側布地からなり、前記後側布地は前記前側布地よりも布地の面積が大きいことを特徴とする請求項２に記載のネックウォーマー。
【考案の詳細な説明】
【技術分野】
【０００１】
　本考案は、ネックウォーマーに関する。
【背景技術】
【０００２】
　身体全体を防寒、保温するためには衣類の開襟部分の面積を小さくし、頸部及び両肩周辺を暖めることが効果的であることは一般的に知られており、マフラーやタートルネックセーターが従来用いられている。その他の特徴としてマフラーは着脱が容易なこと、タートルネックセーターは胴部から頸部まで一体とすることで高い保温効果が得られることが挙げられる。
【特許文献１】なし
【非特許文献１】なし
【考案の開示】
【考案が解決しようとする課題】
【０００３】
　しかし、マフラーは頸部に巻きつけて使用するため、木の枝などに引っかかったりして頸部を締め付ける危険性や、防寒着とマフラーの間に肌が露出してしまう可能性がある。またタートルネックセーターは高い保温効果を持つが、両袖や裾が長いため暑くなっても脱ぎ難く、また身体を動かす際に両袖が腕の動きを制限し動き難いという欠点があった。
【０００４】
　本考案は上記の問題点を鑑みてなされたものであって、通常の防寒具の補助として利用し、頸部及び両肩周辺を暖め保温することで、身体全体を暖かく保ち、また動き易くすると共に、着脱を容易にすることで体温調節を行い易くしたネックウォーマーを提供することを目的とする。
【課題を解決するための手段】
【０００５】
　請求項１に記載のネックウォーマーは、頸部を包囲する襟部と両肩を覆う肩部から構成されリブ編みによる編地からなるネックウォーマーであって、前記肩部の裏面側に肩当て布地を左右の二箇所に分けて前記リブ編みの編目に沿って縫着したことを特徴とする。
【０００６】
　そして好ましくは、前記各肩当て布地に遠赤外線放射効果を持つ合成繊維を用いる。
【０００７】
　また好ましくは、前記各肩当て布地が前身頃に縫合される前側布地と後身頃に縫合される後側布地からなり、前記後側布地は前記前側布地よりも布地の面積を大きくする。
【考案の効果】
【０００８】
　本考案によれば、編地をリブ編みとすることで伸縮自在とし、頸部に密着させ両肩部を覆うと共に、肩当て布地をリブ編みの編目に沿って縫着したので縫い糸は表面側で目立ち難くすることができる。また前記肩当て布地に遠赤外線放射効果を持つセラミックを練り込んだ合成繊維からなる布地を用いることで保温効果を高めることができる。しかし、前記合成繊維からなる布地は高価であるので、安価で提供するため体熱の発散を効果的に抑えることのできる両肩部に場所を限定して用いると共に、後身頃側を広くしたので冷えやすい肩の筋肉を効果的に保温することができる。さらに編地は肩に被せられるため動き易い構造になっている。
【考案を実施するための最良の形態】
【０００９】
　以下に本考案を図面に基づき説明するに、図１から図４に本考案の実施例１に係るネックウォーマーを示す。
【実施例１】
【００１０】
　該ネックウォーマー１０は頸部を包囲する部分の襟部１３と、両肩を覆う部分の肩部１４からなり、前身頃１１と後身頃１２を縫合して形成される。
【００１１】
　前身頃１１は頸部から胸部程度の身丈とし、後身頃１２は頸部から肩甲骨を覆う程度の身丈で共に身幅を合わせて裁断し、襟部１３は着用に際し折り返すため図２に示すように表面側の縫目１３ａにて縫合し、両肩部１４は図３に示すように裏面側の縫目１４ａで縫合する。こうすることにより着用時に縫目１３ａ，１４ａが露出せず見栄えが良い。
【００１２】
　肩部１４の裏面側には、遠赤外線放射効果を持つセラミックを織り込んだ略長方形の肩当て布地２０を左右二箇所に分けて縫着する。各肩当て布地は前身頃１１に縫着される前側肩当て布地２０ａと後身頃に縫着される後側肩当て布地２０ｂからなり、前側肩当て布地２０ａよりも後側肩当て布地２０ｂの方が縦寸法を長くして布地面積を大きくしている。
【００１３】
　該ネックウォーマー１０の編地はリブ編なる手法を用いて編まれる。この手法は、糸を横方向にループをつなぎ合わせ構成する横編みの手法の内の一つで、２列の針で表目と裏目の縦に連続するループを交互に配列したリブ編みと呼ばれる手法を用いた編地を使用する。この編地は構成上横方向と縦方向にループが伸縮するため、全方向に伸縮性を持つ。また、本実施例１で肩当て布地２０は、ループを横方向につなぎ合わせ１列の針で編目を全て一方向に引出して形成した平編の布地を使用し、横方向に伸縮性を持たせる。ここで、図１に示すように肩当て布地２０を該ネックウォーマー１０に縫着する際、編地と同色の糸を用いてリブ編みの編目３０に沿って縫うため、縫目２１ａ，２１ｂは表からは目立たず、さらに該ネックウォーマー１０の伸縮性も損なわない。
【００１４】
　肩当て布地２０とした布は、本実施例１では遠赤外線放射効果を持つセラミックを練り込んだ合成繊維を用いたが、保温効果、蓄熱効果など同様の効果を持つ素材の合成繊維等を使用することも可能である。
【産業上の利用可能性】
【００１５】
　該ネックウォーマーを衣類の上に重ねることで下の衣類の開襟部分からの熱の放射を防ぎ、遠赤外線放射効果と合わせて高い保温効果を得る。また構造上袖がないため腕の自由が利き、動き易い。
【図面の簡単な説明】
【００１６】
【図１】本考案の実施例１に係るネックウォーマーの表面側斜視図である。
【図２】本考案の実施例１に係るネックウォーマーの前身頃側からみた表面側平面図である。
【図３】本考案の実施例１に係るネックウォーマーの前身頃裏面側平面図である。
【図４】本考案の実施例１に係るネックウォーマーの後身頃裏面側平面図である。
【符号の説明】
【００１７】
１０…ネックウォーマー、１１…前身頃、１２…後身頃、
１３…襟部、１３ａ…襟部の縫目、１４…肩部、１４ａ…肩部の縫目、
２０，２０ａ，２０ｂ…肩当て布地、２１ａ，２１ｂ…肩当ての縫目
３０…リブ編みによる編目。
【図１】
0003099460.tif 000003
【図２】
0003099460.tif 000004
【図３】
0003099460.tif 000005
【図４】
0003099460.tif 000006